(57)【特許請求の範囲】
【請求項１】
光軸と瞳近軸光線の交わる点をＰとするとき、最も拡大側のレンズ面における近軸軸上光線の光軸からの高さが、点Ｐより縮小側で近軸軸上光線がレンズ面を通過する光軸からの高さの最大値よりも大きく、全系の焦点距離が不変の光学系において、
フォーカシングもしくは防振に際して一体に移動するレンズの集合、および前記一体に移動するレンズの集合の拡大側もしくは縮小側に位置し、フォーカシングもしくは防振の際に不動のレンズの集合をレンズ群としたとき、点Ｐより縮小側に、光入出射面が共に屈折面で固体材料から形成される負の屈折力の屈折光学素子Ｇｎを含むレンズ群Ｌｒを有し、
該屈折光学素子Ｇｎの材料のアッベ数、ｇ線とＦ線に関する部分分散比を各々νｄ（Ｇｎ）、θｇＦ（Ｇｎ）、該屈折光学素子Ｇｎと該レンズ群Ｌｒの焦点距離を各々ＦＧｎ、Ｆｒとするとき、
−２．１００×１０−３・νｄ（Ｇｎ）＋０．６９３＜θｇＦ（Ｇｎ）
０．６６５≦θｇＦ（Ｇｎ）＜０．９０
０．０２＜｜ＦＧｎ／Ｆｒ｜＜１０．００
なる条件を満足することを特徴とする光学系。
【請求項２】
フォーカシングもしくは防振に際して一体に移動するレンズの集合、および前記一体に移動するレンズの集合の拡大側もしくは縮小側に位置し、フォーカシングもしくは防振の際に不動のレンズの集合をレンズ群としたとき、拡大側より縮小側へ順に、正の屈折力の第１レンズ群、負の屈折力の第２レンズ群を有し、全系の焦点距離が不変の光学系において、
該光学系は開口絞りを有し、該開口絞りよりも縮小側に、光入出射面が共に屈折面で固体材料から形成される負の屈折力の屈折光学素子Ｇｎを含むレンズ群Ｌｒを有し、該屈折光学素子Ｇｎの材料のアッベ数、ｇ線とＦ線に関する部分分散比を各々νｄ（Ｇｎ）、θｇＦ（Ｇｎ）、該屈折光学素子Ｇｎと該レンズ群Ｌｒの焦点距離を各々ＦＧｎ、Ｆｒとするとき、
−２．１００×１０−３・νｄ（Ｇｎ）＋０．６９３＜θｇＦ（Ｇｎ）
０．６６５≦θｇＦ（Ｇｎ）＜０．９０
０．０２＜｜ＦＧｎ／Ｆｒ｜＜１０．００
なる条件を満足することを特徴とする光学系。
【請求項３】
前記アッベ数νｄ（Ｇｎ）は、
νｄ（Ｇｎ）＜６０
なる条件を満足することを特徴とする請求項１または２に記載の光学系。
【請求項４】
前記屈折光学素子Ｇｎのｇ線とｄ線に関する部分分散比をθｇｄ（Ｇｎ）とするとき、
−２．４０７×１０−３・νｄ（Ｇｎ）＋１．４２０＜θｇｄ（Ｇｎ）
１．２５５＜θｇｄ（Ｇｎ）＜１．６７０
なる条件を満足することを特徴とする請求項１乃至３のいずれか１項に記載の光学系。
【請求項５】
拡大側より縮小側へ順に、フォーカスの際に不動の正の屈折力の第１レンズ群、フォーカスのために光軸方向へ移動する負の屈折力の第２レンズ群を有することを特徴とする請求項１乃至４のいずれか１項に記載の光学系。
【請求項６】
前記第１レンズ群の焦点距離をＦ１、前記第２レンズ群の焦点距離をＦ２、全系の焦点距離をＦとするとき、
０．２＜Ｆ１／Ｆ＜０．７
０．１＜｜Ｆ２／Ｆ｜＜０．５
なる条件を満足することを特徴とする請求項５に記載の光学系。
【請求項７】
前記レンズ群Ｌｒにおける、正の屈折力を有するレンズの材料の平均アッベ数をＶｐ、負の屈折力を有するレンズの材料の平均アッベ数をＶｎとするとき、
０．８  ＜  Ｖｐ／Ｖｎ  ＜  １．８
なる条件を満足することを特徴とする請求項１乃至６のいずれか１項に記載の光学系。
【請求項８】
拡大側より縮小側へ順に、フォーカスの際に不動の正の屈折力の第１レンズ群、フォーカスのために光軸方向へ移動する負の屈折力の第２レンズ群、開口絞り、フォーカスの際に不動の正の屈折力の第３レンズ群、光軸に対し垂直方向の成分を持つように移動して結像位置を変化させる負の屈折力の第４レンズ群、フォーカスの際に不動の正の屈折力の第５レンズ群を有し、前記屈折光学素子Ｇｎは前記第５レンズ群に配置されていることを特徴とする請求項１乃至７のいずれか１項に記載の光学系。
【請求項９】
拡大側より縮小側へ順に、フォーカスの際に不動の正の屈折力の第１レンズ群、フォーカスのために光軸方向へ移動する負の屈折力の第２レンズ群、開口絞り、フォーカスの際に不動の正の屈折力の第３レンズ群を有し、前記屈折光学素子Ｇｎは前記第３レンズ群に配置されていることを特徴とする請求項１乃至７のいずれか１項に記載の光学系。
【請求項１０】
請求項１から９のいずれか１項に記載の光学系を備えることを特徴とする光学機器。
【発明の詳細な説明】
【技術分野】
【０００１】
本発明は、光学系及びそれを有する光学機器に関し、例えば、銀塩フィルム用カメラ、デジタルスチルカメラ、ビデオカメラ、望遠鏡、双眼鏡、プロジェクター、複写機等の光学機器に好適なものである。
【背景技術】
【０００２】
デジタルカメラ、ビデオカメラ等の光学機器に用いられる光学系では、レンズ全長（光学全長、物体側の第１レンズ面から像面までの長さ）が短く、光学系全体が小型であることが求められている。
【０００３】
一般に光学系の小型化を図るほど該収差、特に軸上色収差及び倍率色収差などの色収差が多く発生して光学性能が低下してくる。
【０００４】
特にレンズ全長の短縮化を図ったテレフォトタイプ（望遠型）の光学系では、焦点距離を伸ばすほど（長くするほど）色収差が多く発生してくる。
【０００５】
このような色収差の発生を低減する方法として、レンズの材料に異常部分分散材料を用いて色消し（色消しの補正）を行った光学系が知られている。
【０００６】
テレフォトタイプの光学系において、色収差を補正するには、光軸からの近軸軸上光線の高さと、光軸からの瞳近軸光線の高さが共に高くなる光学系前方のレンズ群に、蛍石等の異常部分分散を持った低分散材料より成る正レンズを用いるのが良い。
【０００７】
従来より異常部分分散特性を持った材料を用いて色収差を補正したテレフォトタイプの光学系が知られている（特許文献１、２）。
【０００８】
又、従来より異常部分分散特性を持つ固体材料として透明媒体にＩｎｄｉｕｍ−Ｔｉｎ  Ｏｘｉｄｅ（ＩＴＯ）微粒子を分散させた混合体から成る固体材料を用いて色消しを行った光学系が知られている（特許文献３、４）。
【０００９】
又、異常部分分散特性を持つ固体材料として、透明媒体にＴｉＯ２微粒子を分散させた混合体や樹脂から成る固体材料を用いて色消しを行った光学系が知られている（特許文献５、６）。
【００１０】
一方、カメラ等の撮像装置に用いる撮影光学系（光学系）におけるフォーカシング方法としては、多くの場合撮影光学系全体を移動させるか、あるいは、撮影光学系の一部のレンズ群を移動させる方法で行っている。
【００１１】
長焦点距離を有するテレフォトタイプの撮像光学系は一般に撮影光学系が大型で、又高重量である。この為、撮影光学系全体を移動させてフォーカシングを行う方法は、機構的に困難である。この為、テレフォトタイプの撮影光学系では、撮影光学系の最も物体側のレンズ群以外の比較的小型で軽量なレンズ群を移動させてフォーカシングを行う、所謂インナーフォーカス方式を用いたものが多い。
【００１２】
物体側より像側へ順に、正の屈折率の第１レンズ群、負の屈折率の第２レンズ群、正の屈折率の第３レンズ群の３つのレンズ群を有し、第２レンズ群を光軸上を移動させてフォーカシングを行った撮影光学系が知られている（特許文献７）。
【００１３】
この他、物体側より像側へ順に、正、負、正、負、正の屈折力の第１〜第５レンズ群を有し、第２レンズ群を光軸上に移動させることによりフォーカシングを行う、所謂インナーフォーカス式の光学系が知られている（特許文献８）。
【００１４】
尚、特許文献８の光学系では第４レンズ群を光軸と垂直方向に移動させて光学系が振動したときに生ずる像ブレの補正、即ち防振を行っている。
【特許文献１】特公昭６０−４９８８３号公報
【特許文献２】特開平１１−１１９０９２号公報
【特許文献３】特開２００５−１８１３９２号公報
【特許文献４】特開２００５−２１５３８７号公報
【特許文献５】特開２００６−１４５８２３号公報
【特許文献６】特開２００６−３４９９４８号公報
【特許文献７】特開平１１−３１６３４１号公報
【特許文献８】特開２０００−８９１０１公報
【発明の開示】
【発明が解決しようとする課題】
【００１５】
テレフォトタイプの光学系において、レンズ全長を短縮しつつ色収差を改善するためには、例えば、蛍石等の異常部分分散特性を持つレンズを用い、そのレンズの屈折力を強くするのが良い。しかしながら、蛍石のようなアッベ数の大きい低分散ガラスより成るレンズにおいて、屈折力を大きく変化させて、色収差を補正しようとすると、色収差以外の諸収差、例えば球面収差、コマ収差、非点収差などが多く発生してくる。
【００１６】
これらの諸収差を、色収差補正とともに良好に補正するには、異常部分分散特性を持つレンズの枚数を増加させる必要がある。しかしながらレンズ枚数を増加させると光学系全体が大型化、又重量が増加してくる。
【００１７】
又、蛍石等の異常部分分散特性を有するガラス材料は、非常に加工が難しく、又表面が傷つきやすいため、多く用いるのは好ましくない。
【００１８】
異常部分分散特性を示す材料として、特許文献３〜６に開示されているＴｉＯ２、ＩＴＯ、ＵＶ硬化樹脂等の固体材料は光学系の色消しを行うのに大変有効な材料である。
【００１９】
このような有効な異常部分分散特性を有する固体材料より成る屈折光学素子を光学系中に用いるときは、その光路中の位置や屈折力等を適切に設定するのが重要と成ってくる。
【００２０】
これらの条件が不適切であると、光学系全体の小型化を図りつつ、色収差を良好に補正し、高い光学性能を得るのが困難となる。
【００２１】
本発明は、色収差を始めとする諸収差を良好に補正することが出来、全系が小型化で高い光学性能を有する光学系及びそれを有する光学機器の提供を目的とする。
【課題を解決するための手段】
【００２２】
本発明の光学系は、光軸と瞳近軸光線の交わる点をＰとするとき、最も拡大側のレンズ面における近軸軸上光線の光軸からの高さが、点Ｐより縮小側で近軸軸上光線がレンズ面を通過する光軸からの高さの最大値よりも大きく、全系の焦点距離が不変の光学系において、
フォーカシングもしくは防振に際して一体に移動するレンズの集合、および前記一体に移動するレンズの集合の拡大側もしくは縮小側に位置し、フォーカシングもしくは防振の際に不動のレンズの集合をレンズ群としたとき、点Ｐより縮小側に、光入出射面が共に屈折面で固体材料から形成される負の屈折力の屈折光学素子Ｇｎを含むレンズ群Ｌｒを有し、
該屈折光学素子Ｇｎの材料のアッベ数、ｇ線とＦ線に関する部分分散比を各々νｄ（Ｇｎ）、θｇＦ（Ｇｎ）、該屈折光学素子Ｇｎと該レンズ群Ｌｒの焦点距離を各々ＦＧｎ、Ｆｒとするとき、
−２．１００×１０−３・νｄ（Ｇｎ）＋０．６９３＜θｇＦ（Ｇｎ）
０．６６５≦θｇＦ（Ｇｎ）＜０．９０
０．０２＜｜ＦＧｎ／Ｆｒ｜＜１０．００
なる条件を満足することを特徴としている。
この他、本発明の光学系は、フォーカシングもしくは防振に際して一体に移動するレンズの集合、および前記一体に移動するレンズの集合の拡大側もしくは縮小側に位置し、フォーカシングもしくは防振の際に不動のレンズの集合をレンズ群としたとき、拡大側より縮小側へ順に、正の屈折力の第１レンズ群、負の屈折力の第２レンズ群を有し、全系の焦点距離が不変の光学系において、
該光学系は開口絞りを有し、該開口絞りよりも縮小側に、光入出射面が共に屈折面で固体材料から形成される負の屈折力の屈折光学素子Ｇｎを含むレンズ群Ｌｒを有し、該屈折光学素子Ｇｎの材料のアッベ数、ｇ線とＦ線に関する部分分散比を各々νｄ（Ｇｎ）、θｇＦ（Ｇｎ）、該屈折光学素子Ｇｎと該レンズ群Ｌｒの焦点距離を各々ＦＧｎ、Ｆｒとするとき、
−２．１００×１０−３・νｄ（Ｇｎ）＋０．６９３＜θｇＦ（Ｇｎ）
０．６６５≦θｇＦ（Ｇｎ）＜０．９０
０．０２＜｜ＦＧｎ／Ｆｒ｜＜１０．００
なる条件を満足することを特徴としている。
【発明の効果】
【００２３】
本発明は、色収差を始めとする諸収差を良好に補正することが出来、全系が小型化で高い光学性能を有する光学系が得られる。
【発明を実施するための最良の形態】
【００２４】
以下、本発明の光学系及びそれを有する光学機器の実施形態について説明する。
【００２５】
本発明の光学系は、望遠型（テレフォトタイプ）の光学系である。本発明の光学系の特徴は次のとおりである。
【００２６】
光軸と瞳近軸光線の交わる点をＰとする。このとき、最も拡大側のレンズ面における近軸軸上光線の光軸からの高さが点Ｐより縮小側で近軸軸上光線がレンズ面を通過する光軸からの高さの最大値よりも大きい。そして、点Ｐより縮小側に、光入出射面が共に屈折面で固体材料から形成される負の屈折力の屈折光学素子Ｇｎを含むレンズ群Ｌｒを有している。
【００２７】
図１は、本発明のテレフォトタイプ（望遠型）の光学系の光学作用を説明する為の近軸屈折力配置の概略図である。
【００２８】
図２は実施例１の光学系のレンズ断面図である。図３は実施例１の光学系が無限遠物体に合焦したときの収差図である。
【００２９】
図４は実施例２の光学系のレンズ断面図、図５は実施例２の光学系が無限遠物体に合焦したときの収差図である。
【００３０】
図６は実施例３の光学系のレンズ断面図、図７は実施例３の光学系が無限遠物体に合焦したときの収差図である。
【００３１】
図８は実施例４の光学系のレンズ断面図、図９は実施例４の光学系が無限遠物体に合焦したときの収差図である。
【００３２】
図１０は実施例５の光学系のレンズ断面図、図１１は実施例５の光学系が無限遠物体に合焦したときの収差図である。
【００３３】
図１２は本発明の光学系を備えるカメラ（撮像装置）の要部概略図である。
【００３４】
各実施例の光学系は、望遠型の撮影レンズ系でありビデオカメラやデジタルカメラそして銀塩フィルムカメラ等の撮像装置に用いられる。レンズ断面図において、左方が物体側（前方）で、右方が像側（縮小側）（後方）である。
【００３５】
尚、各実施例の光学系をプロジェクター等の投射レンズとして用いるときは、左方がスクリーン、右方が被投射画像となる。
【００３６】
図１とレンズ断面図において、ＯＬは光学系である。又ｉは物体側からのレンズ群の順番を示し、Ｌｉは第ｉレンズ群である。
【００３７】
ＳＰは開口絞りである。ＩＰは像面であり、ビデオカメラやデジタルスチルカメラの撮影レンズとして使用する際にはＣＣＤセンサやＣＭＯＳセンサ等の固体撮像素子（光電変換素子）の撮像面が置かれる。又、銀塩フィルム用カメラのときはフィルム面に相当する感光面が置かれる。
【００３８】
収差図においてｄ、ｇは各々ｄ線及びｇ線、Ｓ．Ｃは正弦条件である。ΔＭ、ΔＳはメリディオナル像面、サジタル像面、倍率色収差はｇ線によって表している。ωは半画角、ｆｎｏはＦナンバーである。
【００３９】
まず、本発明に係る図１のテレフォトタイプの光学系の光学作用について説明する。図１において、Ｇ１、Ｇ２は、それぞれテレフォトタイプの光学系ＯＬを構成する正の屈折力の前群（第１レンズ群）と負の屈折力の後群（第２レンズ群）である。問題を簡単にするために、前群Ｇ１、後群Ｇ２を構成する各レンズは全て薄肉単レンズとし、前群Ｇ１、後群Ｇ２内で、それぞれレンズ間隔が０で光軸上に配置されているものとしている。
【００４０】
Ｑは近軸軸上光線、Ｒは瞳近軸光線であり、Ｐは瞳近軸光線Ｒと光軸Ｌａとの交点である。ここで、点Ｐよりも前群Ｇ１側を拡大側（物体側）、点Ｐよりも後群Ｇ２側を縮小側（像側）とする。
【００４１】
近軸軸上光線Ｑは光学系全系の焦点距離を１に正規化し、光学系の光軸と平行に、光軸から高さ１の光を入射させたときの近軸光線である。以下物体は光学系の左側にあるものとし、物体側から光学系に入射する光線は左から右へ進むものとして扱う。瞳近軸光線Ｒは光学系全系の焦点距離を１に正規化し、光軸に対して−４５°で入射する光線の内、光学系の入射瞳と光軸との交点を通過する近軸光線である。
【００４２】
各実施例の光学系は、点Ｐより縮小側に、光入出射面が共に屈折面で固体材料から形成される少なくとも１つの負の屈折力の屈折光学素子Ｇｎを含むレンズ群Ｌｒを有している。
【００４３】
又、図１の本発明の光学系では、物体側より像側へ順に、正の屈折力の第１レンズ群、負の屈折力の第２レンズ群を有している。このとき第２レンズ群の像側（縮小側）に１以上のレンズ群を有していても有していなくても良い。
【００４４】
光路中（点Ｐの位置）に開口絞りを有している。そして、開口絞りよりも縮小側に、光入出射面が共に屈折面で固体材料から形成される少なくとも１つの負の屈折力の屈折光学素子Ｇｎを含むレンズ群Ｌｒを有している。
【００４５】
尚、本発明の光学系に用いる屈折光学素子の固体材料とは、光学系を使用する状態で固体の材料を指し、製造時などの光学系を使用する前での状態は、どのような状態であっても良い。
【００４６】
例えば、製造時には液体材料であっても、それを硬化させて固体材料としたものも、ここでいう固体材料に該当する。
【００４７】
各実施例において、屈折光学素子Ｇｎの材料のアッベ数、ｇ線とＦ線に関する部分分散比を各々νｄ（Ｇｎ）、θｇＦ（Ｇｎ）とする。
【００４８】
屈折光学素子Ｇｎと屈折光学素子Ｇｎを含むレンズ群Ｌｒの焦点距離を各々ＦＧｎ、Ｆｒとする。このとき
−２．１００×１０−３・νｄ（Ｇｎ）＋０．６９３＜θｇＦ（Ｇｎ）‥‥‥（１）
０．６６５≦θｇＦ（Ｇｎ）＜０．９０ ‥‥‥（２）
０．０２＜｜ＦＧｎ／Ｆｒ｜＜１０．００ ‥‥‥（３）
なる条件を満足している。
【００４９】
尚、本実施例の光学系に用いる屈折光学素子Ｇｎの材料の部分分散比とアッベ数は次のとおりである。
【００５０】
フラウンフォーファ線のｇ線（波長４３５．８ｎｍ）、Ｆ線（波長４８６．１ｎｍ）、ｄ線（波長５８７．６ｎｍ）、Ｃ線（波長６５６．３ｎｍ）に対する屈折率をそれぞれＮｇ、ＮＦ、Ｎｄ、ＮＣとする。アッベ数νｄ、ｇ線とｄ線に関する部分分散比θｇｄ、ｇ線とＦ線に関する部分分散比θｇＦは次のとおりである。
【００５１】
νｄ   ＝（Ｎｄ−１）／（ＮＦ−ＮＣ）
θｇｄ ＝（Ｎｇ−Ｎｄ）／（ＮＦ−ＮＣ）
θｇＦ ＝（Ｎｇ−ＮＦ）／（ＮＦ−ＮＣ）
図２、図４、図６、図８に示す実施例１〜４の光学系ＯＬは物体側より像側へ順にフォーカスの際に不動の正の屈折力の第１レンズ群Ｌ１、フォーカスのために光軸方向へ移動する負の屈折力の第２レンズ群Ｌ２を有している。そして開口絞りＳＰ、フォーカスの際に不動の正の屈折力の第３レンズ群Ｌ３を有している。
【００５２】
更に光軸に対し垂直方向の成分を持つように移動して結像位置を変化させる負の屈折力の第４レンズ群Ｌ４、フォーカスの際に不動の正の屈折力の第５レンズ群Ｌ５を有している。
【００５３】
ここで条件式（１）〜（３）を満足する屈折光学素子Ｇｎは第５レンズ群Ｌ５の物体側から数えて第３番目のレンズの像側に設けられている。
【００５４】
尚、第２レンズ群Ｌ２は無限遠物体から近距離物体へのフォーカスに際して像側へ移動している。
【００５５】
実施例１、２は屈折光学素子Ｇｎの材料はＵＶ硬化樹脂である。実施例３、４は屈折光学素子Ｇｎの材料はＴｉＯ２、３％−ＵＶ硬化樹脂２である。
【００５６】
実施例５の光学系ＯＬは物体側より像側へ順にフォーカスの際に不動の正の屈折力の第１レンズ群Ｌ１、フォーカスのために光軸方向へ移動する負の屈折力の第２レンズ群Ｌ２を有している。そして開口絞りＳＰ、フォーカスの際に不動の正の屈折力の第３レンズ群Ｌ３を有している。
【００５７】
ここで条件式（１）〜（３）を満足する屈折光学素子Ｇｎは第３レンズ群Ｌ３の物体側から数えて第４番目のレンズの像側に設けられている。
【００５８】
屈折光学素子Ｇｎの材料はＵＶ硬化樹脂である。
【００５９】
尚、第２レンズ群Ｌ２は無限遠物体から近距離物体へのフォーカスに際して像側へ移動している。
【００６０】
実施例４において、屈折光学素子Ｇｎの光入射面のうち、少なくとも一方の面は非球面形状であり、これにより良好なる光学性能を確保している。
【００６１】
実施例２、４では屈折光学素子Ｇｎの光入射面のうち、少なくとも一方の面は空気に接している。
【００６２】
次に前述の各条件式（１）〜（３）の技術的意味を説明する。
【００６３】
条件式（１）〜（３）は、屈折光学素子Ｇｎに関するものであり、主に倍率色収差を最適に補正するための条件式である。このうち条件式（１）、（２）は屈折光学素子Ｇｎの異常部分分散特性に関するものである。条件式（１）において、部分分散比θｇＦ（Ｇｎ）が下限値を下回ると、屈折光学素子Ｇｎの異常部分分散特性が小さくなり、第１レンズ群Ｌ１で大きく発生する、倍率色収差の２次スペクトルを補正するのが難しくなる。
【００６４】
条件式（２）の下限値を下回ると、屈折光学素子Ｇｎの異常部分分散特性が小さすぎ、第１レンズ群Ｌ１で大きく発生する、倍率色収差の２次スペクトルを補正するのが難しくなる。条件式（２）の上限値を上回ると、屈折光学素子Ｇｎの異常部分分散特性が大きくなりすぎ、倍率色収差の２次スペクトルの補正が過補正となってくる。
【００６５】
条件式（３）は、屈折光学素子Ｇｎに与えるべき最適な屈折力に関するものである。条件式（３）の下限値を下回ると、屈折光学素子Ｇｎの屈折力が強くなりすぎ、倍率色収差の２次スペクトルの補正が過補正となってくる。又、上限値を上回ると、屈折光学素子Ｇｎの屈折力が弱くなりすぎ、倍率色収差の２次スペクトルが補正不足となってくる。
【００６６】
なお、条件式（３）において、レンズ群Ｆｒは屈折光学素子Ｇｎを有する群の焦点距離であると定義している。ここで言うレンズ群とは、フォーカシング、ズーミング、そして防振時などに一緒（一体的）に移動するレンズの集合、または、これらのレンズ群の前後に位置する固定されたレンズの集合をレンズ群と定義している。
【００６７】
例えば、実施例１から４では、拡大側より、縮小側へ順に正、負、正、負、正の屈折力のレンズ群を有し、第２レンズ群Ｌ２でフォーカシングを行い、第４レンズ群Ｌ４を光軸に垂直方向の成分を持つように移動させることにより防振を行う光学系となっている。
【００６８】
これらの光学系では、第５レンズ群Ｌ５に屈折光学素子Ｇｎを配置することにより、倍率色収差の補正を良好に行っている。よって、条件式（３）における屈折光学素子Ｇｎを有するレンズ群とは、第５レンズ群Ｌ５である。
【００６９】
また、実施例５では、拡大側より縮小側へ順に、正、負、正の屈折力のレンズ群を有し、第２レンズ群Ｌ２でフォーカシングを行っている。この光学系では、第３レンズ群Ｌ３に屈折光学素子Ｇｎを配置することにより、倍率色収差の補正を良好に行っている。
【００７０】
よって、条件式（３）における屈折光学素子Ｇｎを有するレンズ群とは、第３レンズ群Ｌ３である。
【００７１】
各実施例では条件式（１）〜（３）を満足することにより、レンズ全長の短縮化や、フォーカス用のレンズ群の小型、軽量化によって悪化する倍率色収差を補正している。２波長での色消しのみならず、ｇ線からＣ線までの広い波長帯域に渡って良好に補正した光学系を実現している。
【００７２】
なお、条件式（１）の数値範囲は、以下の範囲とすることで更に良好に色収差を補正するのが容易となる。
【００７３】
−２．１００×１０−３・νｄ（Ｇｎ）＋０．６９３＜θｇＦ（Ｇｎ）＜
−１．２３１×１０−３・νｄ（Ｇｎ）＋０．９００…（１ａ）
更に望ましくは、以下に示す範囲とするのが良い。
【００７４】
−２．１００×１０−３・νｄ（Ｇｎ）＋０．６９３＜θｇＦ（Ｇｎ）＜
−１．３８９×１０−３・νｄ（Ｇｎ）＋０．８２３      …（１ｂ）
更に望ましくは、以下に示す範囲とするのが良い。
【００７５】
−１．６８２×１０−３・νｄ（Ｇｎ）＋０．７００＜θｇＦ（Ｇｎ）＜
−１．６８２×１０−３・νｄ（Ｇｎ）＋０．７５６  …（１ｃ）
条件式（２）の数値範囲は、条件式（１），（１ａ），（１ｂ）又は（１ｃ）を満足した上で、以下の範囲とすると更に良好な色収差補正効果が期待できる。
【００７６】
０．６６５≦θｇＦ（Ｇｎ）＜０．８６０ …（２ａ）
更に望ましくは、以下に示す範囲とするのが良い。
【００７７】
０．６６５≦θｇＦ（Ｇｎ）＜０．８００ …（２ｂ）
条件式（３）の数値範囲は、以下の範囲とすることで更に良好な色収差補正効果が期待できる。
【００７８】
０．０２５＜｜ＦＧｎ／Ｆｒ｜＜８．０００               …（３ａ）
更に望ましくは、以下に示す範囲とするのが良い。
【００７９】
０．０３０＜｜ＦＧｎ／Ｆｒ｜＜５．０００               …（３ｂ）
以上のように、各実施例によれば全長を短縮し、全体を軽量にしつつ、フォーカシングの高速化を図りつつ、色収差を始めとする諸収差を良好に補正した高い性能の光学系が得られる。
【００８０】
本発明の目的とする光学系は、以上の諸条件を満足することにより達成できるが、更に好ましくは次の諸条件のうち、１以上を満足するのが良い。
【００８１】
屈折光学素子Ｇｎのｇ線とｄ線に関する部分分散比をθｇｄ（Ｇｎ）とする。
【００８２】
屈折光学素子Ｇｎが含まれるレンズ群Ｌｒにいて、正の屈折力を有するレンズの材料の平均アッベ数をＶｐ、負の屈折力を有するレンズの材料の平均アッベ数をＶｎとする。
【００８３】
第１レンズ群Ｌ１の焦点距離をＦ１、第２レンズ群Ｌ２の焦点距離をＦ２、全系の焦点距離をＦとする。
【００８４】
このとき、
νｄ（Ｇｎ）＜６０                                            ‥‥‥（４）
−２．４０７×１０−３・νｄ（Ｇｎ）＋１．４２０＜θｇｄ（Ｇｎ）‥‥‥（５）
１．２５５＜θｇｄ（Ｇｎ）＜１．６７０                        ‥‥‥（６）
０．８  ＜  Ｖｐ  ／  Ｖｎ  ＜  １．８                        ‥‥‥（７）
０．２＜Ｆ１/Ｆ＜０．７                                        ‥‥‥（８）
０．１＜｜Ｆ２/Ｆ｜＜０．５                                    ‥‥‥（９）
なる条件のうち１以上を満足するのが良い。
【００８５】
屈折光学素子Ｇｎの材料のアッベ数が条件式（４）を満足することで、さらに、倍率色収差を良好に補正するのが容易となる。
【００８６】
固体材料は、条件式（５），（６）をも満足することで更に倍率色収差を良好に補正するのが容易となる。
【００８７】
条件式（５）、（６）は屈折光学素子Ｇｎの異常部分分散特性に関するものである。条件式（５）において、部分分散比θｇｄ（Ｇｎ）が下限値を下回ると、屈折光学素子Ｇｎの異常部分分散特性が小さくなり、第１レンズ群で大きく発生する、倍率色収差の２次スペクトルを補正するのが難しくなる。
【００８８】
条件式（６）の下限値を下回ると、屈折光学素子Ｇｎの異常部分分散特性が小さすぎ、第１レンズ群Ｌ１で大きく発生する、倍率色収差の２次スペクトルを補正するのが難しくなる。
【００８９】
条件式（６）の上限値を上回ると、屈折光学素子Ｇｎの異常部分分散特性が大きくなりすぎ、倍率色収差の２次スペクトルの補正が過補正となってくる。
【００９０】
一般に、インナーフォーカス式の望遠型の光学系では、最も物体側の第１レンズ群で発生する倍率色収差を、第２レンズ群と最も像面側の最終レンズ群にて発生する倍率色収差にて打ち消しあうことで、全系の倍率色収差を低減している。
【００９１】
フォーカス用のレンズ群を小型にするためは、フォーカス用のレンズ群を開口絞り近傍に配置するのが良い。開口絞り近傍は一般に、瞳近軸光線の光軸からの高さが低くなるため、フォーカス用のレンズ群を開口絞り近傍に配置するとフォーカス用のレンズ群で発生する倍率色収差量も低下する。
【００９２】
そのため、第１レンズ群で発生する倍率色収差を最も像面側の最終レンズ群の倍率色収差のみで打ち消しあう必要があるため、倍率色収差が補正不足となる。特に、第１レンズ群にて発生する倍率色収差の二次スペクトルの発生は大きく、二次スペクトルの補正不足が光学性能を悪化させてしまう。
【００９３】
そのため、第１レンズ群で発生する二次スペクトルそのものを小さくする必要がある。第１レンズ群で使用される蛍石等の異常部分分散特性を持つレンズの屈折力を強くすることで、二次スペクトルの低減を行うことができるが、これらの硝材は低分散である。このため、倍率色収差の補正を行うと、大きな屈折力を必要とし、色収差以外の球面収差、コマ収差、非点収差などの諸収差が悪化してくる。
【００９４】
また、最終レンズ群に負の屈折力を有する蛍石等の異常部分分散特性を持つレンズを配置することで色収差の低減を図ることができる。しかしながら、やはり低分散であるため、屈折力が大きくなり、諸収差が悪化してしまう。
【００９５】
特に光学系の全長の短縮を行うと、さらに第１レンズ群で発生する色収差量が増大するため、色収差とそれ以外の収差の補正を両立させることが困難となる。
【００９６】
そこで各実施例では、条件式（７）を満足するようにして第２レンズ群を光軸方向に移動させることによりフォーカシングを行っている。
【００９７】
この方式によれば光学系の最も物体側に位置するレンズ群やレンズ全体を繰り出すフォーカス方式の光学系に対し、フォーカス用のレンズ群の有効径を小さくすることができる。このため、例えば自動焦点検出装置を有するカメラに適用したとき駆動モータを小型化することができる。
【００９８】
条件式（７）はフォーカス用のレンズ群のレンズ有効径を小型化するために望ましい条件である。フォーカス用のレンズ群を小型化するためには、フォーカス用のレンズ群を絞り近傍に配置するのが良い。それを実現するためには、正の屈折力の第１レンズ群Ｌ１で発生する倍率色収差を最も像面側の最終レンズ群（実施例１〜４では第５レンズ群Ｌ５、実施例５では第３レンズ群Ｌ３である。）のみで打ち消す必要がある。そのためには、最終レンズ群で正の倍率色収差を大きく発生させる必要がある。
【００９９】
条件式（７）は、それを実現するためのものである。条件式（７）の下限値を下回ると、最終レンズ群で発生する倍率色収差が大きくなりすぎ、レンズ全系での倍率色収差が悪化してくる。
【０１００】
また、上限値を上回ると、最終レンズ群で発生する倍率色収差が小さくなりすぎ、第１レンズ群Ｌ１で発生する倍率色収差を打ち消しあうことが難しくなり、レンズ全系での倍率色収差が悪化してくる。
【０１０１】
条件式（８）、（９）は主にレンズ全長を小型化・軽量化を行うためのものである。
【０１０２】
光学系全体の小型化と高性能化を実現するためには、各レンズ群のパワー配置を最適化する必要がある。条件式（８）の下限値を下回って、第１レンズ群Ｌ１のパワー（屈折力）が強くなりすぎると、レンズ全長の短縮には有利となるが、倍率色収差を始めとする諸収差の発生が大きくなり、これをバランス良く補正することが困難となる。
【０１０３】
上限値を上回ると、レンズ全長の短縮を行うことが困難になる。
【０１０４】
条件式（９）の下限値を下回って、フォーカス用のレンズ群のパワーが強くなりすぎると、フォーカシング時の収差変動が増大し、特に近距離物体において著しく光学性能が悪化してくる。
【０１０５】
また、上限値を超えてフォーカス用のレンズ群のパワーが小さくなると、フォーカシング時のレンズ群の繰り出し量が大きくなり、移動空間を確保する為にレンズ全長が増加してくる。
【０１０６】
その際、フォーカス用のレンズ群の有効径が増加し重量が重くなるため、フォーカシング時の駆動トルクが増大してくる。このため、例えば自動焦点検出装置を有するカメラに適用したときは駆動モータが大型化してくるのでよくない。
【０１０７】
各実施例において更に好ましくは前述の条件式（４）、（６）〜（９）の数値範囲を次の如く設定するのが良い。
【０１０８】
νｄ（Ｇｎ）＜５０                                        ‥‥‥（４ａ）
１．３０＜θｇｄ（Ｇｎ）＜１．６０                        ‥‥‥（６ａ）
１．００＜Ｖｐ／Ｖｎ＜１．５０                            ‥‥‥（７ａ）
０．３０＜Ｆ１/Ｆ＜０．６０                              ‥‥‥（８ａ）
０．１２＜｜Ｆ２/Ｆ｜＜０．４０                          ‥‥‥（９ａ）
次に各実施例のテレフォトタイプの光学系の特徴について説明する。
【０１０９】
テレフォトタイプの光学系は、拡大側より正の屈折力の前群（第１レンズ群）Ｇ１、負の屈折力の後群（第２レンズ群）Ｇ２を配置したレンズ構成である。
【０１１０】
そのため、最も拡大側の面を通過する近軸軸上光線Ｑの光軸からの高さｈ１と、後群Ｇ２の各面のうち近軸軸上光線Ｑの高さが最も高くなる面での近軸軸上光線の光軸からの高さｈ２を比較した場合、高さｈ１の方が高さｈ２よりも高くなる。
【０１１１】
次に、屈折光学素子Ｇｎを導入する前の光学系について考察する。前群Ｇ１と後群Ｇ２について倍率色収差の収差係数（Ｔ）の式を立てると、
【０１１２】
【数１】
0005388446.tif 000002
【０１１３】
となる。  但し、
νＧ１ｉ（λ）＝｛ＮＧ１ｉ（λ０）−１｝／｛ＮＧ１ｉ（λ）−ＮＧ１ｉ（λ０）｝
νＧ２ｉ（λ）＝｛ＮＧ２ｊ（λ０）−１｝／｛ＮＧ２ｊ（λ）−ＮＧ２ｊ（λ０）｝
ここに、
φＧ１ｉ：  前群Ｇ１を構成する、各薄肉単レンズの屈折力
φＧ２ｉ：  後群Ｇ２を構成する、各薄肉単レンズの屈折力
νＧ１ｉ：  前群Ｇ１を構成する、各薄肉単レンズの材料のアッべ数
νＧ２ｉ：  後群Ｇ２を構成する、各薄肉単レンズの材料のアッべ数
ｈＧ１    ：  前群Ｇ１へ入射する近軸軸上光線Ｑの高さ
ｈＧ２    ：  後群Ｇ２へ入射する近軸軸上光線Ｑの高さ
ＨＧ１    ：  前群Ｇ１へ入射する瞳近軸光線Ｒの高さ
ＨＧ２    ：  後群Ｇ２へ入射する瞳近軸光線Ｒの高さ
ＮＧ１ｊ：  前群Ｇ１を構成する、各薄肉単レンズの材料の屈折率
ＮＧ２ｉ：  後群Ｇ２を構成する、各薄肉単レンズの材料の屈折率
λ：  任意波長
λ０：  設計波長
である。
【０１１４】
通常テレフォトタイプの光学系では、式（ａ）の倍率色収差の収差係数の波長依存特性において、全体の傾きが負で、下に凸状の波長依存特性を示す。
【０１１５】
次に、この状態から光学系に倍率色収差を補正する為の屈折光学素子Ｇｎの符号と導入位置について考察する。
【０１１６】
導入する屈折光学素子Ｇｎの倍率色収差係数をＴＧｎとすると
ＴＧｎ（λ）＝ｈＧ１（λ０）  ＨＧ１（λ０）φＧｎ（λ０）／νＧｎ（λ）…（ｂ）
となる。但し、
νＧｎ（λ）＝｛ＮＧｎ（λ０）−１｝／｛ＮＧｎ（λ）−ＮＧＩｎλ０｝｝  …（ｃ）
である。
【０１１７】
（ｂ）、（ｃ）式において、１／νＧｎ（λ）には屈折光学素子Ｇｎの分散特性ＮＧｎ（λ）の傾きと曲がり成分の傾向がそのまま反映される。屈折光学素子Ｇｎを点Ｐより拡大側に配置する場合、φＧｎ（λ０）＞０のとき屈折光学素子Ｇｎの倍率色収差の収差係数の波長依存特性は全体の傾きが正で、上に強い凸状の曲線となる。
【０１１８】
また、φＧＩＴ（λ０）＜０のとき、屈折光学素子Ｇｎの倍率色収差の収差係数の波長依存特性は全体の傾きが負で、下に強い凸状の曲線となる。
【０１１９】
一方、屈折光学素子Ｇｎを点Ｐより縮小側に配置する場合、屈折光学素子φＧｎ（λ０）＞０のとき、屈折光学素子Ｇｎの倍率色収差の収差係数の波長依存特性は全体の傾きが負で、下に強い凸状の曲線となる。
【０１２０】
また、φＧｎ（λ０）＜０のとき、屈折光学素子Ｇｎの倍率色収差の収差係数の波長依存特性は全体の傾きが正で、上に強い凸状の曲線となる。
【０１２１】
従って、（ａ）式の全系における倍率色収差の収差係数の波長依存特性曲線の全体の曲がり成分をキャンセルする為には、屈折光学素子Ｇｎを点Ｐより拡大側に配置する場合、前群Ｇ１内において、φＧｎ（λ０）＞０が必要となる。
【０１２２】
また、屈折光学素子Ｇｎを点Ｐより縮小側に配置する場合、前群Ｇ１内において、φＧｎ（λ０）＜０が必要となる。
【０１２３】
各実施例のテレフォトタイプの光学系では、全系の小型化及び軽量化を図っている。各実施例のテレフォトタイプの光学系は、一般に、拡大側より縮小側へ順に正の屈折力の第１レンズ群、負の屈折力の第２レンズ群を有している。
【０１２４】
またフォーカシング用のレンズ群が大型で高重量であると、フォーカシング時の駆動トルクが増大し、例えば自動焦点検出装置等に適用したときは駆動モータが大型化してくる。又、フォーカスに多くの時間がかかり、良くない。
【０１２５】
このため、各実施例では、比較的全体が小型となる第２レンズ群を移動させることにより、フォーカシングを行っている。
【０１２６】
このようなテレフォトタイプの光学系では、最も物体側の第１レンズ群で発生する倍率色収差を、第２レンズ群と最も像面側の最終レンズ群（実施例１〜４では第５レンズ群Ｌ５、実施例５では第３レンズ群Ｌ３）にて発生する倍率色収差で補正している。即ち、双方が打ち消しあうことで、全系の倍率色収差を低減している。
【０１２７】
一般にフォーカシング用のレンズ群を小型にするためは、フォーカシング用のレンズ群を開口絞りＳＰ近傍に配置するのが良い。開口絞りＳＰ近傍は、瞳近軸光線の光軸からの高さが低くなるため、このフォーカス用のレンズ群で発生する倍率色収差量も低下する。
【０１２８】
そのため、第１レンズ群で発生する倍率色収差を最も像面側の最終レンズ群で逆方向に倍率色収差を発生させて打ち消しあう必要があるため、倍率色収差が補正不足傾向となる。
【０１２９】
特に倍率色収差の２次スペクトルの悪化が問題となる。そこで、各実施例の光学系では、条件式（１）〜（３）を満足する負の屈折力を有する屈折光学素子Ｇｎを点Ｐよりも縮小側に配置している。
【０１３０】
又は、物体側より像側へ順に正の屈折力の第１レンズ群、負の屈折力の第２レンズ群を有し、かつ光路中に開口絞りを有する光学系において、開口絞りＳＰよりも縮小側（像側）に条件式（１）〜（３）を満足する屈折光学素子Ｇｎを配置している。
【０１３１】
これにより、倍率色収差を悪化させることなくフォーカシング用のレンズ群の小型化を実現している。
【０１３２】
各実施例で用いている固体材料は、例えば樹脂である。又、固体材料としては、例えば無機微粒子を透明媒体に分散させた混合体からなっている。
【０１３３】
ここで無機微粒子は、例えばTitanium Oxide（ＴｉＯ2）微粒子である。又、各実施例において固体材料としては、成形型を用いて光重合成形または熱重合成形されたものが適用できる。
【０１３４】
各実施例において、条件式（１）、（２）を満足する固体の光学材料の具体例としては、例えば樹脂が挙げられる。様々な樹脂の中でも特にＵＶ硬化樹脂（ｎｄ＝１．６３５，νｄ＝２２．７，θｇＦ＝０．６９）やＮ−ポリビニルカルバゾール（ｎｄ＝１．６９６，νｄ＝１７．７，θｇＦ＝０．６９）は条件式（１）、（２）を満足する光学材料となる。但し、各実施例ではこれに限定するものではない。
【０１３５】
また、一般の硝材とは異なる特性を持つ材料として、下記の無機酸化物微粒子を合成樹脂中に分散させた混合体がある。すなわち、ＴｉＯ２（ｎｄ＝２．３０４，νｄ＝１３．８），Ｎｂ２Ｏ５（ｎｄ＝２．３６７，νｄ＝１４．０），ＩＴＯ（ｎｄ＝１．８５８１，νｄ＝５．５３）がある。この他、Ｃｒ２Ｏ３（ｎｄ＝２．２１７８，νｄ＝１３．４），ＢａＴｉＯ３（ｎｄ＝２．４３６２，νｄ＝１１．３）等を挙げることができる。
この中では、ＴｉＯ２（ｎｄ＝２．３０４，νｄ＝１３．８，θｇＦ＝０．８７）微粒子を合成樹脂中に分散させた場合、条件式（１）、（２）を満足する光学材料となる。
【０１３６】
ＴｉＯ２は様々な用途で使われる材料であり、光学関連では反射防止膜などの光学薄膜を構成する蒸着用材料として用いられている。他にも光触媒、白色顔料などとして、またＴｉＯ２微粒子は化粧品材料として用いられている。
【０１３７】
ＴｉＯ２微粒子の平均径は、散乱などの影響を考えると２ｎｍ〜５０ｎｍ程度がよく、凝集を抑えるために分散剤などを添加しても良い。
【０１３８】
ＴｉＯ２を分散させる媒体材料としては、ポリマーが良く、成形型等を用いて光重合成形または熱重合成形することにより高い量産性を得ることができる。
【０１３９】
また、ポリマーの光学定数の特性としても、部分分散比が比較的大きいポリマー、あるいはアッベ数が比較的小さいポリマーか、両者を満たすポリマーが良く、Ｎ−ポリビニルカルバゾール、スチレン、ポリメタクリル酸メチル（アクリル）、などが挙げられる。後述する実施例ではＴｉＯ２微粒子を分散させるホストポリマーとしてＵＶ硬化樹脂、Ｎ−ポリビニルカルバゾールを用いるが、これに限定するものではない。
【０１４０】
ナノ微粒子を分散させた混合体の分散特性Ｎ（λ）は、良く知られたＤｒｕｄｅの式から導きだされた次式によって簡単に計算することができる。即ち、
Ｎ（λ）＝［１＋Ｖ｛ＮＴiＯ２(λ)−１}＋(１−Ｖ){ＮＰ２(λ)−１｝］１／２
…（ｄ）
ここで、λは任意の波長、ＮＴiＯはＴｉＯ２の屈折率、ＮＰはポリマーの屈折率、Ｖはポリマー体積に対するＴｉＯ２微粒子の総体積の分率である。
【０１４１】
以下、実施例１〜５に対応する数値実施例１から５について具体的な数値データを示す。各数値実施例において、ｉは物体側から数えた面の番号を示し、Ｒｉは第ｉ番目の光学面（第ｉ面）の曲率半径である。Ｄｉは第ｉ面と第（ｉ＋１）面との間の軸上間隔である。Ｎｉ、νｉはそれぞれｄ線に対する第ｉ番目の屈折光学部材の材料の屈折率、アッベ数を表す。
【０１４２】
ＵＶ硬化樹脂やＴｉＯ２及びその微粒子分散材料のｄ、ｇ、Ｃ、Ｆ線に対する屈折率、アッベ数は部分分散比θｇｄ、θｇＦで示す。
【０１４３】
また、非球面形状は、Ｘを光軸方向の面頂点からの変位量、ｈを光軸と垂直な方向の光軸からの高さ、ｒを近軸曲率半径、ｋを円錐定数、Ｂ，Ｃ，Ｄ，Ｅ…を各次数の非球面係数とするとき、
【０１４４】
【数２】
0005388446.tif 000003
【０１４５】
で表す。
【０１４６】
なお、各非球面係数における「Ｅ±ＸＸ」は「×１０±ＸＸ」を意味している。又、前述の各条件式と数値実施例との関係を表１に示す。
【０１４７】
（数値実施例１）
R             D      Nd            νd
1      ∞            6.00   1.51633       64.1 
2      ∞            1.50                 
3      238.08021     18.94  1.43387       95.1 
4      -526.27591    31.28           
5      137.79350     16.20  1.43387       95.1 
6      -18469.60605  1.63             
7      -963.04958    5.90   1.72916       54.7 
8      244.10184     46.34           
9      78.71311      12.16  1.49700       81.5 
10     201.58333     0.38            
11     88.17068      5.50   1.73400       51.5 
12     59.59035      102.64                 
13     258.37953     3.31   1.76182       26.5 
14     -201.40525    2.00   1.88300       40.8 
15     99.25718      53.67           
16(絞り)      ∞     11.01           
17     70.53447      1.80   1.80518       25.4 
18     36.80733      5.04   1.51823       58.9 
19     -162.67733    4.51            
20     120.35557     2.58   1.78472       25.7 
21     -129.55183    1.30   1.72916       54.7 
22     50.65004      2.23            
23     -105.41308    1.30   1.80400       46.6 
24     102.01789     3.00            
25     78.24830      4.32   1.51823       58.9 
26     -45.46741     1.00   1.58144       40.8 
27     -218.96863    17.30           
28     182.54336     6.39   1.76182       26.5 
29     -70.45924     0.10   NGn=1.63555   VGn=22.7
30     -186.32857    2.00   1.60311       60.6 
31     -3634.71344   10.00             
32     ∞            2.20   1.51633       64.1 
33     ∞                     
像面   ∞                     
各種パラメータ
焦点距離      780.00 
Fナンバー     5.80 
画角          3.18 
像高          21.635 
レンズ全長    484.47 
BF            100.92 
各群焦点距離
群     始面   焦点距離
1      1      322.16 
2      13     -154.45 
3      16     146.67 
4      20     -43.75 
5      25     76.49 
各群焦点距離
群     始面   焦点距離
1      1      322.16 
2      13     -154.45 
3      16     1850.12 
（数値実施例２）
R             D      Nd            νd
1      ∞            6.00   1.51633       64.1 
2      ∞            1.50                 
3      237.21251     19.21  1.43387       95.1 
4      -498.14086    30.00           
5      137.10524     16.31  1.43387       95.1 
6      -9629.60466   1.68              
7      -891.68458    5.90   1.72916       54.7 
8      236.05771     47.03           
9      78.66780      12.19  1.49700       81.5 
10     202.26017     0.28            
11     87.75966      5.50   1.73400       51.5 
12     59.68341      103.02                 
13     250.26761     3.35   1.76182       26.5 
14     -201.45971    2.00   1.88300       40.8 
15     97.93061      53.68           
16(絞り)      ∞     10.43           
17     69.62879      1.80   1.80518       25.4 
18     35.31274      5.23   1.51823       58.9 
19     -169.95521    2.60            
20     110.44535     2.63   1.78472       25.7 
21     -126.27702    1.30   1.72916       54.7 
22     49.77052      2.26            
23     -104.91648    1.30   1.80400       46.6 
24     107.80999     2.88            
25     75.42582      3.14   1.51823       58.9 
26     -122.66358    1.00   1.60342       38.0 
27     -740.65578    15.50         
28     174.90601     5.88   1.78472       25.7 
29     -93.63960     0.10   NGn=1.63555   VGn=22.7
30     -719.95320    12.00           
31     ∞            2.20   1.51633       64.1 
32     ∞                     
像面   ∞                     
各種パラメータ
焦点距離      780.00 
Fナンバー     5.80 
画角          3.18 
像高          21.635 
レンズ全長    485.15 
BF            107.26 
各群焦点距離
群     始面   焦点距離
1      1      322.36 
2      13     -153.97 
3      16     153.64 
4      20     -45.32 
5      25     77.05 
各群焦点距離
群     始面   焦点距離
1      1      322.36 
2      13     -153.97 
3      16     1767.98 
(数値実施例３)
R             D      Nd            νd
1      ∞            6.00   1.51633       64.1 
2      ∞            1.50                 
3      243.34679     18.76  1.43387       95.1 
4      -521.90775    31.94           
5      138.12638     16.36  1.43387       95.1 
6      -14791.73587  1.61             
7      -957.97578    5.90   1.72916       54.7 
8      248.35920     46.34           
9      78.58557      12.20  1.49700       81.5 
10     200.59195     0.64            
11     88.27562      5.50   1.73400       51.5 
12     59.51346      103.09                 
13     250.07954     3.30   1.76182       26.5 
14     -206.24598    2.00   1.88300       40.8 
15     97.04491      51.64           
16（絞り)     ∞     10.68           
17     68.50991      1.80   1.80518       25.4 
18     35.83004      4.47   1.51823       58.9 
19     -162.50188    4.49            
20     106.87404     2.53   1.78472       25.7 
21     -168.06254    1.30   1.72916       54.7 
22     48.53412      2.34            
23     -98.23787     1.30   1.80400       46.6 
24     111.45880     3.13            
25     78.88390      4.40   1.51823       58.9 
26     -43.86003     1.00   1.57501       41.5 
27     -193.51173    18.51           
28     223.27355     5.75   1.72151       29.2 
29     -66.05508     0.10   NGn=1.55324   NGn=39.8
30     1632.25260    2.00   1.56384       60.7 
31     5957.42397    39.02           
32     ∞            2.20   1.51633       64.1 
33     ∞                     
像面   ∞                     
各種パラメータ
焦点距離      780.00 
Fナンバー     5.80 
画角          3.18 
像高          21.635 
レンズ全長    483.63 
BF            71.84 
各群焦点距離
群     始面   焦点距離
1      1      322.81 
2      13     -152.42 
3      16     143.81 
4      20     -44.26 
5      25     78.03 
各群焦点距離
群     始面   焦点距離
1      1      322.81 
2      13     -152.42 
3      16     1766.15 
(数値実施例４)
R             D      Nd            νd
1      ∞            6.00   1.51633       64.1 
2      ∞            1.50                 
3      248.99767     18.69  1.43387       95.1 
4      -501.08310    32.11           
5      140.36576     16.20  1.43387       95.1 
6      -5818.51622   1.57            
7      -892.72624    5.90   1.72916       54.7 
8      254.61688     48.94           
9      78.56861      12.01  1.49700       81.5 
10     197.09971     0.53            
11     88.10284      5.50   1.73400       51.5 
12     59.90065      101.46                 
13     235.24205     3.25   1.76182       26.5 
14     -214.42384    2.00   1.88300       40.8 
15     95.72225      52.87           
16(絞り)      ∞     11.79           
17     66.15341      1.80   1.80518       25.4 
18     33.21558      4.68   1.51823       58.9 
19     -158.82635    2.77            
20     93.65889      2.45   1.78472       25.7 
21     -268.57721    1.30   1.72916       54.7 
22     45.54849      2.48            
23     -91.65730     1.30   1.80400       46.6 
24     122.90763     2.98            
25     78.85424      3.80   1.48749       70.2 
26     -62.50992     1.00   1.62588       35.7 
27     -255.98616    13.51           
28     204.56517     6.50   1.74077       27.8 
29     -59.45162     0.10   NGn=1.55324   NGn=39.8
30*    -887.47572    12.00           
31     ∞            2.20   1.51633       64.1 
32     ∞                     
各種パラメータ
焦点距離      780.00 
Fナンバー     5.80 
画角          3.18 
像高          21.635 
レンズ全長    485.38 
BF            106.20 
第30面 k= 0.000000E+00  b=-2.186288E-09  c=-7.104773E-12  
d=-3.588118E-13  e= 6.479557E-16
各群焦点距離
群     始面   焦点距離
1      1      321.47 
2      13     -154.64 
3      16     146.54 
4      20     -44.40 
5      25     77.57 
各群焦点距離
群     始面   焦点距離
1      1      321.47 
2      13     -154.64 
3      16     2050.46 
（数値実施例５）
R             D      Nd            νd
1      ∞            6.00   1.51633       64.1 
2      ∞            1.50                 
3      236.92597     19.50  1.43387       95.1 
4      -469.15176    36.59           
5      134.37383     15.67  1.43387       95.1 
6      5816.64898    2.17            
7      -817.64426    5.90   1.72916       54.7 
8      253.37464     47.29           
9      79.58893      12.15  1.49700       81.5 
10     224.55858     1.23            
11     94.47835      5.50   1.73400       51.5 
12     60.32167      98.06           
13     482.85167     3.03   1.76182       26.5 
14     -153.68009    2.00   1.88300       40.8 
15     114.10052     50.39           
16（絞り)     ∞     15.92           
17     63.09136      3.55   1.51633       64.1 
18     -174.78037    2.15            
19     207.07427     2.66   1.58267       46.4 
20     -88.48685     1.30   1.74400       44.8 
21     47.49499      51.32           
22     312.85056     7.58   1.74077       27.8 
23     -40.24751     0.10   NGn=1.63555  VGn=22.7  
24     -57.16762     2.00   1.76200       40.1 
25     -1193.63059   10.00           
26     ∞            2.20   1.51633       64.1 
27     ∞                     
像面   ∞                     
各種パラメータ
焦点距離      780.00 
Fナンバー     5.80 
画角          3.18 
像高          21.635 
レンズ全長    480.76 
BF            100.92 
各群焦点距離
群     始面   焦点距離
1      1      327.89 
2      13     -144.51 
3      16     863.19 
【０１４８】
【表１】
0005388446.tif 000004
【０１４９】
次に各実施例に示した光学系を撮影光学系として用いたデジタルスチルカメラの実施形態を図１２を用いて説明する。
【０１５０】
図１２において、２０はカメラ本体である。２１は実施例１〜５で説明したいずれかの光学系によって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。
【０１５１】
２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【０１５２】
このように本発明の光学系をデジタルスチルカメラに適用することにより、小型で高い光学性能を有する撮像装置（光学機器）が実現できる。
【図面の簡単な説明】
【０１５３】
【図１】本発明の光学系の作用を説明する為の近軸配置概略図である。
【図２】数値実施例１の光学系の光学系断面図である。
【図３】数値実施例１の無限遠合焦状態での収差図である。
【図４】数値実施例２の光学系の光学系断面図である。
【図５】数値実施例２の無限遠合焦状態での収差図である。
【図６】数値実施例３の光学系の光学系断面図である。
【図７】数値実施例３の無限遠合焦状態での収差図である。
【図８】数値実施例４の光学系の光学系断面図である。
【図９】数値実施例４の無限遠合焦状態での収差図である。
【図１０】数値実施例５の光学系の光学系断面図である。
【図１１】数値実施例５の無限遠合焦状態での収差図である。
【図１２】本発明の撮像装置の要部概略図である。
【符号の説明】
【０１５４】
ＯＬ      光学系
Ｇｐ      前群
Ｇｎ      後群
Ｑ        近軸軸上光線
Ｒ        瞳近軸光線
ＧＮ      屈折光学素子
Ｌ１  第１レンズ群
Ｌ２  第２レンズ群
Ｌ３  第３レンズ群
Ｌ４  第４レンズ群
Ｌ５  第５レンズ群
ＳＰ  開口絞り
ＩＰ  像面
ｄ    ｄ線
ｇ    ｇ線
Ｓ．Ｃ  正弦条件
ΔＭ  メリディオナル像面
ΔＳ  サジタル像面
【図１】
0005388446.tif 000005
【図２】
0005388446.tif 000006
【図３】
0005388446.tif 000007
【図４】
0005388446.tif 000008
【図５】
0005388446.tif 000009
【図６】
0005388446.tif 000010
【図７】
0005388446.tif 000011
【図８】
0005388446.tif 000012
【図９】
0005388446.tif 000013
【図１０】
0005388446.tif 000014
【図１１】
0005388446.tif 000015
【図１２】
0005388446.tif 000016